(57)【特許請求の範囲】
【請求項１】
肛門から一部が挿入される中空又は中実の棒状体の先端部に流体を注入して膨張する掻込み袋体を取付け、同掻込み袋体へ流体を圧送する流体送り手段を設けて採便器とし、肛門に挿入できる先端部を開口し、基端を閉鎖した筒体内に前記採便器を筒長手方向に進退自在で且つ水密状に取付け、又筒体の外周に肛門に水密状に固定するための環状バルーンを取付け、同バルーンの空気注排する手段を備え、更に筒体内部の排泄物をポンプ吸引して排除する吸引チューブを筒体内部と接続した採便装置。
【請求項２】
流体送り手段が、棒状体の内部に掻込袋体へ流体を送る通路と、同通路の基端に逆止弁を揃えた注入口と、注入口から流体を圧送するポンプとからなる請求項１記載の採便装置。
【請求項３】
掻込み袋体の膨張形状が略球状である請求項１又は２記載の採便装置。
【請求項４】
掻込み袋体の膨張形状が略円盤状である請求項１又は２記載の採便装置。
【請求項５】
掻込み袋の膨張形状が棒状体の側周面から環状に突出する形状である請求項１又は２記載の採便装置。
【請求項６】
掻込み袋体の膨張形状が棒状体の先端部から所定方向の範囲のみ拡巾する形状である請求項１又は２記載の採便装置。
【請求項７】
掻込み袋体が棒状体の先端部の内部に収縮状態に格納され、膨張することで外方へ突出するようにした請求項１〜６何れか記載の採便装置。
【請求項８】
棒状体の先端部が分枝し、同分枝した先端に掻込み袋体を取付けた請求項１〜６何れか記載の採便装置。
【請求項９】
棒状体の先端部を丸味を帯びた形状に拡巾し、同拡巾部分の外側に弾性膜を被せ、拡巾部分の内側からその孔を介して弾性膜の内側へ流体を送り込んで弾性膜を膨らまして外側へ突出させる構造の掻込み袋体とした請求項１，２，３，４，６何れか記載の採便装置。
【請求項１０】
掻込み袋体の上部に硬質体を取付けた請求項１〜４何れか記載の採便装置。
【発明の詳細な説明】
【０００１】
【発明の属する技術分野】
本発明は、排便力が弱った老人・患者，体が動かせない老人・患者の排出できない腸内の便，排便できないで直腸で詰まった便・宿便等を強制排出するための器具に関する。
【０００２】
【従来の技術】
本出願人は、肛門から直腸内に挿入して、便を強制排出する掻き込み器具を開発したが、その掻き込み器の掻き込み部材は、剛性のあるプラスチック板，金属板等を挿入するときは収縮させ挿入し易くし、直腸内でワイヤ等の外部操作力で拡巾させ、拡巾させた掻き込み部材を肛門方向に引き寄せることで直腸内の便を肛門から排出させるものである。又これに合わせてポンプによって吸引して排出をより効果的にしていた。
しかしながら、掻き込み部材の収縮・拡巾はワイヤ・回転軸・軸体等を用いてメカニカルに行うため、拡巾収縮の機構が複雑であり、又製造コストが嵩むものとなっていた。又掻き込み部材も剛体であるので直腸，肛門を接触によって傷つける可能性があった。
【０００３】
【発明が解決しようとする課題】
本発明が解決しようとする課題は、従来のこれらの問題点を解消し、簡単な構造で安全且つ安価にできる採便装置を提供することにある。
【０００４】
【課題を解決するための手段】
かかる課題を解決した本発明の構成は、
１）  肛門から一部が挿入される中空又は中実の棒状体の先端部に流体を注入して膨張する掻込み袋体を取付け、同掻込み袋体へ流体を圧送する流体送り手段を設けて採便器とし、肛門に挿入できる先端部を開口し、基端を閉鎖した筒体内に前記採便器を筒長手方向に進退自在で且つ水密状に取付け、又筒体の外周に肛門に水密状に固定するための環状バルーンを取付け、同バルーンの空気注排する手段を備え、更に筒体内部の排泄物をポンプ吸引して排除する吸引チューブを筒体内部と接続した採便装置
２）  流体送り手段が、棒状体の内部に掻込袋体へ流体を送る通路と、同通路の基端に逆止弁を揃えた注入口と、注入口から流体を圧送するポンプとからなる前記１）記載の採便装置
３）  掻込み袋体の膨張形状が略球状である前記１）又は２）記載の採便装置
４）  掻込み袋体の膨張形状が略円盤状である前記１）又は２）記載の採便装置
５）  掻込み袋の膨張形状が棒状体の側周面から環状に突出する形状である前記１）又は２）記載の採便装置
６）  掻込み袋体の膨張形状が棒状体の先端部から所定方向の範囲のみ拡巾する形状である前記１）又は２）記載の採便装置
７）  掻込み袋体が棒状体の先端部の内部に収縮状態に格納され、膨張することで外方へ突出するようにした前記１）〜６）何れか記載の採便装置
８）  棒状体の先端部が分枝し、同分枝した先端に掻込み袋体を取付けた前記１）〜６）何れか記載の採便装置
９）  棒状体の先端部を丸味を帯びた形状に拡巾し、同拡巾部分の外側に弾性膜を被せ、拡巾部分の内側からその孔を介して弾性膜の内側へ流体を送り込んで弾性膜を膨らまして外側へ突出させる構造の掻込み袋体とした前記１），２），３），４），６）何れか記載の採便装置
１０）  掻込み袋体の上部に硬質体を取付けた前記１）〜４）何れか記載の採便装置
にある。
【０００５】
【発明の実施の形態】
本発明の棒状体は、肛門から直腸の便の内部に挿入しても屈曲・破断変形しにくい強度がある素材と断面形状が選定される。内部が中空とする場合と中実にする場合とがあり、流体送り手段の通路を内部に設けるのが好ましい。通路は棒状体の外側にチューブを取付けて形成することもできる。棒状体の外径は５〜１０ｍｍ前後が実用的である。
掻込み袋体は、弾性のあるゴム膜，プラスチック膜が一般的に使用され、便との接触、腸内圧で破損・破裂しない素材と厚みが選定される。又は掻込み袋体として、折り畳んだ非弾性素材の拡巾できる袋体とする場合もある。
掻込み袋体の肛門挿入時は収縮させ挿入の抵抗を少なくする。又その為に棒状体の先端を拡巾し、収縮した掻込み袋体をその拡巾部内に収容させたり、拡巾部材の外側に被せて挿入の抵抗を少なくし、流体（空気、水・湯等）を圧送したときに膨張させるようにするのがよい。更に水溶性キャップを被せるようにして抵抗を少なくできる。
本発明の掻込み袋体に圧入する流体としては、空気・水・湯・ゼリー状流体等があり、空気が一般的に採用される。
【０００６】
【実施例】
以下、本発明の実施例を図面に基づいて説明する。
図１，２に示す実施例は、環状バルーンと吸引ポンプに接続された吸引チューブとを有する筒体の内部中央にパイプ状棒状体を進退自在に取付け、同棒状体の先端外周に略球状に膨張する掻込袋体を被せ、パイプ内を掻込袋体へ空気を送る通路とし、棒状体の基端に逆止弁を設けた空気注入口を設け、手動で棒状体を進退させて便を掻き寄せて、ポンプ吸引力で吸引チューブで排出する例である。
図３〜７は、本発明の他の実施形態例を示す図面である。
図中、１はパイプ状の棒状体、１ａは同棒状体の内部の通路、１ｂは同棒状体の先端開口、１ｃは棒状体１ｂの基端に取付けた逆止弁付空気注入口、２はゴム製の掻取袋体、２ａは同掻取袋体の基端の棒状体１外周への取付バンド、３は筒体、３ａは同筒体の先端開口、３ｂは同筒体の外周に設けた環状バルーン、３ｃは同バルーンへの逆止弁付空気注入チューブ、３ｄは筒体１の底壁、３ｅは排出口、３ｆは同排出口と接続された吸引チューブ、３ｇは底壁３ｄに設けた棒状体を水密状に進退させるガイド、４は吸引ポンプ、５は掻取袋体２及びバルーン３ｂに空気を圧送するシリンダー形式の手押しポンプ、６は収縮して折り畳んだ掻取袋体をカバーする水溶性キャップ、７は排泄物収容器、１０は肛門、１１は直腸、１２は便である。
【０００７】
この実施例では、棒状体１は手前側へ引いて、筒体３内に先端部が収まるようにし、バルーン３ｂを筒体内に収容させた状態で筒体３を肛門１０に挿入し、その後に手押しポンプ５を注入チューブ３ｃに接続し、手押しポンプ５によって環状バルーン３ｂに空気を圧送して膨らまして筒体３を肛門１０に固定し、又水密状にして筒体３と肛門１０との間から便が洩れないようにする。
次に吸引チューブ３ｆを筒体の排出口３ｅに接続する。その後棒状体１の基端を押し込んで直腸１１の内部の奥へ進入させる。その基端の空気注入口１ｃに手押しポンプ５を接続して手押しポンプ５によって空気を送り込む。空気はパイプ状の棒状体１の内部の通路１ａを通って、その先端開口１ｂから掻込袋体２内に送られて、同掻込袋体２を膨らまして略球状にする。このとき上部に取付けたキャップ６は外れ、便の流体で溶けて便とともに排出される。
その後、吸引ポンプ４を作動させて筒体３内部を負圧状態にしてその先端開口３ａから便を吸引して排出口３ｅ吸引チューブ３ｆを介して外部の排泄物収容器へ排出するようにしている。
【０００８】
この状態で奥へ挿入した棒状体１を手作業で手元側へ引き寄せる。これによって棒状体１の先端の拡巾した略球状に膨れた掻込袋体２が棒状体１の引き寄せとともに直腸１１内の便１２を筒体３の方向に押して筒体３内へ移動させ、吸引力が加わって便を吸引チューブ３ｆを介して排出する。このように棒状体１を進退させることで便１２を筒体３内へ引き寄せて排出させる。
棒状体１の進退は手作業でも、又は電動によってボタン操作又は一定周期で動かすようにもできる。
又本実施例の棒状体１と掻込袋体２の採便器は、筒体３と組み合わせずに単独でも採便器として使用でき、又他の排便装置・採便器と組み合わせて使用することができる。
【０００９】
：他の発明の実施形態
図３〜７に示す実施例は、本発明の他の実施形態である。
図３（ａ）、図４（ａ）に示す例筒状棒状体２１の閉鎖された先端部側面に空気孔２１ａを外周の全周に沿って複数設け、空気孔２１ａの部分を外側から被せるようにゴム膜２２ａをその外周縁で棒状体２１に接着２２ｂさせ、ゴム膜２２ａと棒状体２１の外周面とで空気を貯えられる掻込み袋体２２を形成するものである。基端部には逆止弁付空気注入口２１ｂが取付けられている。
この実施例は空気注入口２１ｂから空気が送られると空気孔２１ａから掻込袋体２２内へ流入し、その空気圧でゴム膜２２ａを半円の環状に膨らませるものである。この実施形態は棒状体２１に対して半円周に沿って直角に盤状に押し拡げられ、便の掻込み面として作用する。使い方は前記実施例と同様である。
【００１０】
図３（ｂ），図４（ｂ）に示す実施形態は前記図３（ａ），図４（ａ）の掻込袋体２２が半円の環状（盤状）であるのに対し、本実施形態の掻込袋体３２は棒状体３１に対し全周に突出させ、円環状に突出させる例であり、他は前記実施形態と同様である。３１は中空の棒状体、３１ａは空気孔、３２ａはゴム膜、３２ｂは接着部である。
【００１１】
図５（ａ），図６（ａ）に示す実施形態はパイプ状の棒状体４１の先端が２本に分枝４１ａ，４１ｂし、その分枝した先端の球状拡巾部４１ｃ，４１ｄに実施例同様に略球状の掻込袋体４２ａ，４２ｂを被せるように取付けた例である。これも基端には逆止弁付空気注入口を有していて、掻込袋体４２ａ，４２ｂを収縮して直腸１１内に挿入し、その後掻込袋体４２ａ，４２ｂを膨張させ、広い掻込袋体面積を形成して、掻込みを効果的にする例である。４１ｅは空気孔である。
【００１２】
図５（ｂ）図６（ｂ）の実施形態は、パイプ状の棒状体５１の先端に拡大部５１ａを設け、この内部にゴム管の掻込袋体５２を収容し、棒状体５１の内部の通路５１ｂを介して収容した掻込袋体５２を膨らまし、その膨張力で先端開口５１ｃから掻込袋体５２を外に押し出して略球状の掻込体を形成するものである。５２ａは接着部、５１ｄは逆止弁付空気注入口である。
【００１３】
図７（ａ）の実施形態はパイプ状の棒状体６１の先端に閉鎖され空気孔６１ｂを有する拡大部６１ａを設け、同拡大部６１ａの外側にゴム管の掻込袋体６２を被せ、棒状体６１の内部の通路６１ｃから空気を送り、空気孔６１ｂから吐出させて掻込袋体６２を略球状に膨らませるものである。６１ｄは逆止弁付空気注入口である。他は実施例同様である。
【００１４】
図７（ｂ）は、パイプ状の棒状体７１の先端開口７１ａ付近の拡巾部７１ｂ内部に防水性で折り畳まれた掻込袋体７２を収容し、これに逆止弁付空気チューブ７２ａを接続し、又掻込袋体７２の頭部を硬質体７２ｂを取付けている。この形態では、空気が空気チューブ７２ａを介して送られると、折り畳まれた掻込袋体７２が膨張し、先端開口７１ａから大きく飛び出して膨れた掻込体を形成するものである。掻込袋体７２の基端は棒状体７１の内面例と接着されている。本発明の棒状体の形状，掻込袋体の構造・素材は前記実施例，実施形態に限られることなく、適切なものが選択される。硬質体７２ｂは便に抗して掻込袋体の直腸への挿入を容易にする。図中、７１ｃは逆止弁付空気注入口である。
【００１５】
【発明の効果】
以上の様に、本発明の採便装置の掻込体は、流体で膨張した掻込袋体によって形成されるので、エッジがなく、腸壁等と接触しても傷つけることなく、進退でき、又膨張させて拡巾できることで排便力が高い。又挿入するときは収縮させるので挿入も容易となる。
【図面の簡単な説明】
【図１】実施例を示す縦断面図である。
【図２】実施例の使用状態を示す説明図である。
【図３】発明の他の実施形態の要部を示す縦断面図である。
【図４】図３の実施形態の平面図である。
【図５】発明の他の実施形態の要部を示す縦断面図である。
【図６】図４の実施形態の平面図である。
【図７】発明の他の実施形態の要部を示す縦断面図である。
【符号の説明】
１  棒状体
１ａ  通路
１ｂ  先端開口
１ｃ  空気注入口
２  掻込袋体
２ａ  取付バンド
３  筒体
３ａ  先端開口
３ｂ  バルーン
３ｃ  空気注入チューブ
３ｄ  底壁
３ｅ  排出口
３ｆ  吸引チューブ
３ｇ  ガイド
４  吸引ポンプ
５  手押しポンプ
６  キャップ
７  排泄物収容器
１０  肛門
１１  直腸
１２  便
２１，３１，４１，５１，６１，７１  棒状体
２２，３２，４２ａ，４２ｂ，５２，６２，７２  掻込袋体
２１ａ  空気孔
２１ｂ  逆止弁付空気注入口
２２ａ  ゴム膜
２２ｂ  接着
３１ａ  空気孔
３２ａ  ゴム膜
３２ｂ  接着部
４１ｃ  拡巾部
４１ｄ  拡巾部
４１ｅ  空気孔
５１ａ  拡大部
５１ｂ  通路
５１ｃ  先端開口
５１ｄ  逆止弁付空気注入口
６１ａ  拡大部
６１ｂ  空気孔
６１ｃ  通路
６１ｄ  逆止弁付空気注入口
７１ａ  先端開口
７１ｂ  拡巾部
７１ｃ  逆止弁付空気注入口
７２ａ  空気チューブ
７２ｂ  硬質体
【図１】
0003581630.tif 000002
【図２】
0003581630.tif 000003
【図３】
0003581630.tif 000004
【図４】
0003581630.tif 000005
【図５】
0003581630.tif 000006
【図６】
0003581630.tif 000007
【図７】
0003581630.tif 000008